(57)【要約】【課題】この発明は、再生機能を有するＡＶ機器と記録機能を有するＡＶ機器とを接続することにより、単体では実現することができない種々の機能の実現を図り得る再生装置及び再生方法、記録装置及び記録方法、ＡＶシステムを提供することを目的としている。【解決手段】再生機能を有する携帯型ＡＶ機器１１と記録機能を有する据置型ＡＶ機器１２とを相互に制御可能に接続し、携帯型ＡＶ機器１１から据置型ＡＶ機器１２の有するリムーバブルメディア３７及び内蔵メモリ３２のいずれかを選択可能とし、選択したリムーバブルメディア３７または内蔵メモリ３２からＡＶ情報を読み出し携帯型ＡＶ機器１１に転送して表示部１４に表示させる。【選択図】    図２
2004234794.tif 000002
【特許請求の範囲】
【請求項１】
外部のＡＶ機器を制御可能に接続する接続手段と、
この接続手段を介して外部のＡＶ機器が有する記録メディアを選択する選択手段と、
この選択手段で選択した記録メディアから前記接続手段を介してＡＶ情報を取得し表示する制御手段とを具備してなることを特徴とする再生装置。
【請求項２】
外部のＡＶ機器を制御可能に接続する接続手段と、
この接続手段を介して外部のＡＶ機器が有する記録メディアを選択する選択手段と、
この選択手段で選択した記録メディアに前記接続手段を介して自己の再生したＡＶ情報を記録させる制御手段とを具備してなることを特徴とする再生装置。
【請求項３】
前記選択手段は、
前記接続手段を介して外部のＡＶ機器が有する記録メディアに関する情報を取得する取得手段と、
この取得手段で取得された情報に基づいて、外部のＡＶ機器が有する記録メディアを選択するためのメニューを表示するメニュー表示手段とを具備してなることを特徴とする請求項１または２記載の再生装置。
【請求項４】
外部接続されたＡＶ機器が有する記録メディアを選択する工程と、
選択した記録メディアからＡＶ情報を取得して表示する工程とを有することを特徴とする再生方法。
【請求項５】
外部接続されたＡＶ機器が有する記録メディアを選択する工程と、
選択した記録メディアに自己の再生したＡＶ情報を記録させる工程とを有することを特徴とする再生方法。
【請求項６】
外部のＡＶ機器を制御可能に接続する接続手段と、
この接続手段を介して外部のＡＶ機器が有する記録メディアを選択する選択手段と、
この選択手段で選択した記録メディアから前記接続手段を介してＡＶ情報を取得し、自己の記録メディアに記録する制御手段とを具備してなることを特徴とする記録装置。
【請求項７】
外部のＡＶ機器を制御可能に接続する接続手段と、
この接続手段を介して外部のＡＶ機器が有する記録メディアを選択する選択手段と、
この選択手段で選択した記録メディアに前記接続手段を介して自己の記録メディアに記録されているＡＶ情報を記録させる制御手段とを具備してなることを特徴とする記録装置。
【請求項８】
前記選択手段は、
前記接続手段を介して外部のＡＶ機器が有する記録メディアに関する情報を取得する取得手段と、
この取得手段で取得された情報に基づいて、外部のＡＶ機器が有する記録メディアを選択するためのメニューを表示するメニュー表示手段とを具備してなることを特徴とする請求項６または７記載の記録装置。
【請求項９】
外部接続されたＡＶ機器が有する記録メディアを選択する工程と、
選択した記録メディアからＡＶ情報を取得して自己の記録メディアに記録する工程とを有することを特徴とする記録方法。
【請求項１０】
外部接続されたＡＶ機器が有する記録メディアを選択する工程と、
選択した記録メディアに自己の記録メディアに記録されているＡＶ情報を記録させる工程とを有することを特徴とする記録方法。
【請求項１１】
再生機能を有する第１のＡＶ機器と記録機能を有する第２のＡＶ機器とを相互に制御可能に接続する接続手段と、
この接続手段を介して前記第１のＡＶ機器から前記第２のＡＶ機器の有する記録メディアを選択させる選択手段と、
この選択手段で選択した記録メディアからＡＶ情報を読み出し前記接続手段を介して前記第１のＡＶ機器に転送して表示させる制御手段とを具備してなることを特徴とするＡＶシステム。
【請求項１２】
再生機能を有する第１のＡＶ機器と記録機能を有する第２のＡＶ機器とを相互に制御可能に接続する接続手段と、
この接続手段を介して前記第１のＡＶ機器から前記第２のＡＶ機器の有する記録メディアを選択させる選択手段と、
この選択手段で選択した記録メディアに前記接続手段を介して前記第１のＡＶ機器で再生したＡＶ情報を転送して記録させる制御手段とを具備してなることを特徴とするＡＶシステム。
【請求項１３】
再生機能を有する第１のＡＶ機器と記録機能を有する第２のＡＶ機器とを相互に制御可能に接続する接続手段と、
この接続手段を介して前記第２のＡＶ機器から前記第１のＡＶ機器の有する記録メディアを選択させる選択手段と、
この選択手段で選択した記録メディアからＡＶ情報を読み出し前記接続手段を介して前記第２のＡＶ機器に転送して記録させる制御手段とを具備してなることを特徴とするＡＶシステム。
【請求項１４】
再生機能を有する第１のＡＶ機器と記録機能を有する第２のＡＶ機器とを相互に制御可能に接続する接続手段と、
この接続手段を介して前記第１のＡＶ機器から前記第２のＡＶ機器の有する記録メディアを選択させる選択手段と、
この選択手段で選択した記録メディアからＡＶ情報を読み出し前記接続手段を介して前記第１のＡＶ機器に転送して表示させるとともに、前記選択手段で選択した記録メディアに前記第２のＡＶ機器によりＡＶ情報の記録を行なわせる制御手段とを具備してなることを特徴とするＡＶシステム。
【請求項１５】
前記制御手段は、前記選択手段で選択した記録メディアに前記第２のＡＶ機器により記録されているＡＶ情報を読み出し、前記接続手段を介して前記第１のＡＶ機器に転送して表示させることを特徴とする請求項１４記載のＡＶシステム。
【発明の詳細な説明】
【０００１】
【発明の属する技術分野】
この発明は、再生装置及び再生方法、記録装置及び記録方法、ＡＶ（Ａｕｄｉｏ  Ｖｉｓｕａｌ）システムに係り、特にその再生機能を有するＡＶ機器と記録機能を有するＡＶ機器とを接続して多機能化を図るようにしたものに関する。
【０００２】
【従来の技術】
周知のように、ユーザの自宅等に設置された記録再生機能を有する据置型のＡＶ機器で記録したＡＶ情報を、再生機能を有する携帯型のＡＶ機器で再生するためには、例えばメモリカード等のような携帯型記録媒体（以下、リムーバブルメディアという）を使用する必要がある。
【０００３】
すなわち、据置型のＡＶ機器にリムーバブルメディアを装着してＡＶ情報を記録し、その後、据置型のＡＶ機器からリムーバブルメディアを取り出して携帯型のＡＶ機器に装着してＡＶ情報の再生を行なう必要があり、ユーザにとって取り扱いが煩雑になるという問題が生じている。
【０００４】
特許文献１には、一方の装置で再生中のコンテンツを、記録媒体の入れ替え無しに他方の装置で再生可能とする構成が開示されている。しかしながら、この特許文献１では、予め一方の装置で再生したコンテンツを他方の装置に転送しコピーしておく必要があり、ユーザにとっての取り扱いが煩雑になっている。
【０００５】
また、特許文献２には、記憶媒体から読み出したデータを他の記憶媒体に記憶させる際に、データ再生時間と記憶先の記憶媒体の残り記憶可能時間とから記録の可否を判断し表示する構成が開示されている。しかしながら、この特許文献２には、一方の装置で記録した情報を他方の装置で再生することについては、何らの記載もなされていないものである。
【０００６】
【特許文献１】
特開２００１−３５７６１８号公報
【０００７】
【特許文献２】
特開２０００−１０５９６９号公報
【０００８】
【発明が解決しようとする課題】
そこで、この発明は上記事情を考慮してなされたもので、再生機能を有するＡＶ機器と記録機能を有するＡＶ機器とを接続することにより、単体では実現することができない種々の機能の実現を図り得る再生装置及び再生方法、記録装置及び記録方法、ＡＶシステムを提供することを目的とする。
【０００９】
【課題を解決するための手段】
この発明に係る再生装置は、外部のＡＶ機器を制御可能に接続する接続手段と、この接続手段を介して外部のＡＶ機器が有する記録メディアを選択する選択手段と、この選択手段で選択した記録メディアから接続手段を介してＡＶ情報を取得し表示する制御手段とを備えるようにしたものである。
【００１０】
また、この発明に係る再生方法は、外部接続されたＡＶ機器が有する記録メディアを選択する工程と、選択した記録メディアからＡＶ情報を取得して表示する工程とを有するようにしたものである。
【００１１】
さらに、この発明に係る記録装置は、外部のＡＶ機器を制御可能に接続する接続手段と、この接続手段を介して外部のＡＶ機器が有する記録メディアを選択する選択手段と、この選択手段で選択した記録メディアから接続手段を介してＡＶ情報を取得し、自己の記録メディアに記録する制御手段とを備えるようにしたものである。
【００１２】
また、この発明に係る記録方法は、外部接続されたＡＶ機器が有する記録メディアを選択する工程と、選択した記録メディアからＡＶ情報を取得して自己の記録メディアに記録する工程とを有するようにしたものである。
【００１３】
さらに、この発明に係るＡＶシステムは、再生機能を有する第１のＡＶ機器と記録機能を有する第２のＡＶ機器とを相互に制御可能に接続する接続手段と、この接続手段を介して第１のＡＶ機器から第２のＡＶ機器の有する記録メディアを選択させる選択手段と、この選択手段で選択した記録メディアからＡＶ情報を読み出し接続手段を介して第１のＡＶ機器に転送して表示させる制御手段とを備えるようにしたものである。
【００１４】
上記のような構成及び方法によれば、再生機能を有するＡＶ機器と記録機能を有するＡＶ機器とを相互に制御可能に接続し、一方のＡＶ機器から他方のＡＶ機器の有する記録メディアを選択して記録や再生を行なうことができるようにしたので、単体では実現することができない種々の機能の実現を図ることが可能となる。
【００１５】
【発明の実施の形態】
以下、この発明の実施の形態について、図面を参照して詳細に説明する。図１は、この実施の形態で説明するＡＶシステムの外観を示している。すなわち、このＡＶシステムは、携帯型ＡＶ機器１１と、据置型ＡＶ機器１２とから構成されている。
【００１６】
携帯型ＡＶ機器１１は、薄型の箱状に形成された筐体１３を有している。そして、この筐体１３の一平面には、表示部１４が設置されている。また、この筐体１３の一側面には、操作部１５と、リムーバブルメディアが装置される装着部１６とが設置されている。さらに、この筐体１３の低面には、コネクタ１７が設置されている。
【００１７】
一方、据置型ＡＶ機器１２は、箱状に形成された筐体１８を有している。そして、この筐体１８の前面パネル１９には、電源スイッチ等を含む操作部２０と、表示部２１と、リムーバブルメディアが装置される装着部２２とが設置されている。
【００１８】
また、この筐体１８の天板には、携帯型ＡＶ機器１１の筐体１３の底面部分を着脱可能となす取付部２３が形成されている。さらに、この取付部２３の底面中央部には、携帯型ＡＶ機器１１のコネクタ１７と接続可能なコネクタ２４が設置されている。
【００１９】
そして、携帯型ＡＶ機器１１の筐体１３の底面部を、据置用ＡＶ機器１２の筐体１８の取付部２３に嵌合させることにより、両ＡＶ機器１１，１２が機械的に結合される。また、このとき、コネクタ１７，２４同士も接続され、両ＡＶ機器１１，１２が電気的に接続される。
【００２０】
図２は、上記携帯型ＡＶ機器１１及び据置用ＡＶ機器１２における信号処理系の詳細を示している。まず、携帯型ＡＶ機器１１は、前述した表示部１４、操作部１５及び装着部１６の他に、チューナ部２５、内蔵メモリ２６、記録再生部２８、入出力部２９及びＣＰＵ（Ｃｅｎｔｒａｌ  Ｐｒｏｃｅｓｓｉｎｇ  Ｕｎｉｔ）３０を備えている。
【００２１】
このうち、チューナ部２５は、衛星テレビジョン放送や地上波テレビジョン放送から所望のチャンネルの信号を選局し、復調処理を施して表示部１４に映像表示させる機能を有する。また、内蔵メモリ２６は、例えば半導体メモリ等で形成される。
【００２２】
記録再生部２８は、装着部１６に装着されたリムーバブルメディア２７及び内蔵メモリ２６に対して、ＡＶ情報を記録再生する機能を有する。また、入出力部２９は、コネクタ１７を介して、外部とＡＶ情報やコントロール情報等を入出力する機能を有する。さらに、ＣＰＵ３０は、操作部１５から得られた操作情報を反映するように、各部を統括的に制御している。
【００２３】
一方、据置用ＡＶ機器１２は、前述した操作部２０、表示部２１及び装着部２２の他に、チューナ部３１、内蔵メモリ３２、記録再生部３３、タイマ３４、入出力部３５及びＣＰＵ３６を備えている。
【００２４】
このうち、チューナ部３１は、衛星テレビジョン放送や地上波テレビジョン放送から所望のチャンネルの信号を選局し、復調処理を施して外部に出力する機能を有する。また、内蔵メモリ３２は、例えばＨＤＤ（Ｈａｒｄ  Ｄｉｓｋ  Ｄｒｉｖｅ）等で形成される。タイマ３４は、テレビジョン放送の視聴予約や記録予約のために利用される。
【００２５】
記録再生部３３は、装着部２２に装着されたリムーバブルメディア３７及び内蔵メモリ３２に対して、ＡＶ情報を記録再生する機能を有する。また、入出力部３５は、コネクタ２４を介して、外部とＡＶ情報やコントロール情報等を入出力する機能を有する。さらに、ＣＰＵ３６は、操作部２０から得られた操作情報を反映するように、各部を統括的に制御している。
【００２６】
なお、上記入出力部２９，３５は、ＵＳＢ（Ｕｎｉｖｅｒｓａｌ  Ｓｅｒｉａｌ  Ｂｕｓ）によるＭａｓｓＳｔｒａｇｅクラスの接続仕様となっている。要するに、携帯型ＡＶ機器１１のＣＰＵ３０及び据置用ＡＶ機器１２のＣＰＵ３６が、お互いのリムーバブルメディア３７，２７及び内蔵メモリ３２，２６を共有することができる接続形態であればよいものである。
【００２７】
図３は、上記したＡＶシステムの動作の一例をまとめたフローチャートを示している。まず、開始（ステップＳ１１）された後、携帯型ＡＶ機器１１のＣＰＵ３０は、ステップＳ１２で、再生のためのメディア選択メニューの表示が要求されると、ステップＳ１３で、据置型ＡＶ機器１２が接続されているか否かを判別する。
【００２８】
そして、据置型ＡＶ機器１２が接続されていないと判断された場合（ＮＯ）、携帯型ＡＶ機器１１のＣＰＵ３０は、ステップＳ１６で、メディア選択メニューを表示部１４に表示させる。このメディア選択メニューは、図４（ａ）に示すように、携帯型ＡＶ機器１１の有する記録メディアの一覧、つまり、リムーバブルメディア２７と内蔵メモリ２６とを表示し、それらのいずれかを選択させるものである。
【００２９】
すなわち、このメディア選択メニューにおいては、表示された「リムーバブルメディア２７」と「内蔵メモリ２６」とを枠状のカーソルＫで選択可能となっている。このため、ユーザは、操作部１５を操作してカーソルＫを移動させることにより、「リムーバブルメディア２７」と「内蔵メモリ２６」とのいずれかを選択し決定することができる。
【００３０】
その後、携帯型ＡＶ機器１１のＣＰＵ３０は、ステップＳ１７で、選択されたメディアからＡＶ情報を読み出し、ステップＳ１８で、表示部１４に映像表示させ、処理を終了（ステップＳ１９）する。
【００３１】
また、上記ステップＳ１３で据置型ＡＶ機器１２が接続されていると判断された場合（ＹＥＳ）、携帯型ＡＶ機器１１のＣＰＵ３０は、ステップＳ１４で、据置型ＡＶ機器１２の有するメディア情報、つまり、据置型ＡＶ機器１２がどのような記録メディアを備えているか（この場合、リムーバブルメディア３７と内蔵メモリ３２）に関する情報を取得する。
【００３２】
そして、携帯型ＡＶ機器１１のＣＰＵ３０は、ステップＳ１５で、取得した据置型ＡＶ機器１２の有するメディア情報を、自己の有するメディア情報（リムーバブルメディア２７と内蔵メモリ２６）に追加し、ステップＳ１６で、メディア選択メニューを表示部１４に表示させる。
【００３３】
この場合、メディア選択メニューは、図４（ｂ）に示すように、携帯型ＡＶ機器１１及び据置型ＡＶ機器１２の有する全てのリムーバブルメディア２７，３７及び内蔵メモリ２６，３２の一覧を表示し、それらのいずれかをカーソルＫによって選択し決定させるものとなる。
【００３４】
その後、携帯型ＡＶ機器１１のＣＰＵ３０は、ステップＳ１７で、選択されたメディアからＡＶ情報を読み出し、ステップＳ１８で、表示部１４に映像表示させ、処理を終了（ステップＳ１９）する。
【００３５】
上記した実施の形態によれば、携帯型ＡＶ機器１１側の操作により、据置型ＡＶ機器１２のリムーバブルメディア３７及び内蔵メモリ３２を選択し、そこに記録されたＡＶ情報を読み出して直接表示部１４に表示させるようにしている。
【００３６】
このため、従来のように、リムーバブルメディアを介して据置型ＡＶ機器１２から携帯型ＡＶ機器１１にＡＶ情報を移動させる必要がなく、ユーザにとって取り扱いが便利なものとなる。
【００３７】
また、据置型ＡＶ機器１２から取得したＡＶ情報を、携帯型ＡＶ機器１１でリムーバブルメディア２７または内蔵メモリ２６に記録しないので、リムーバブルメディア２７または内蔵メモリ２６の記録容量に無関係に、据置型ＡＶ機器１２からＡＶ情報を取得することができる。
【００３８】
なお、据置型ＡＶ機器１２から取得したＡＶ情報を、携帯型ＡＶ機器１１でリムーバブルメディア２７または内蔵メモリ２６に記録するように制御することも可能である。
【００３９】
また、携帯型ＡＶ機器１１が、そのチューナ部２５、リムーバブルメディア２７及び内蔵メモリ２６のいずれかから取得されるＡＶ情報を、据置型ＡＶ機器１２のリムーバブルメディア３７または内蔵メモリ３２を選択して記録させることも可能である。
【００４０】
上記と逆に、据置型ＡＶ機器１２が、携帯型ＡＶ機器１１のチューナ部２５、リムーバブルメディア２７及び内蔵メモリ２６のいずれかを選択し、そこから取得されるＡＶ情報を、自己のリムーバブルメディア３７または内蔵メモリ３２に記録させることも可能である。
【００４１】
この場合、据置型ＡＶ機器１２は、携帯型ＡＶ機器１１から取得したＡＶ情報を、自己のリムーバブルメディア３７または内蔵メモリ３２に記録させずに、外部接続されたモニタ等に直接供給して表示させるようにすることもできる。
【００４２】
また、据置型ＡＶ機器１２が、そのチューナ部３１、リムーバブルメディア３７及び内蔵メモリ３２のいずれかから取得したＡＶ情報を、携帯型ＡＶ機器１１の表示部１４に表示させたり、そのリムーバブルメディア２７または内蔵メモリ２６を選択して記録させたりすることも可能である。
【００４３】
さらに、据置型ＡＶ機器１２が、例えばそのチューナ部３１で取得したＡＶ情報を内蔵メモリ３２に記録している状態で、携帯型ＡＶ機器１１が、据置型ＡＶ機器１２の内蔵メモリ３２を選択し、そこに記録されている他のＡＶ情報を読み出させて、表示部１４に表示させることもできる。この場合、内蔵メモリ３２に記録しているＡＶ情報を読み出して再生する、いわゆる追っかけ再生も行なうことができる。
【００４４】
また、携帯型ＡＶ機器１１が、据置型ＡＶ機器１２の内蔵メモリ３２から読み出したＡＶ情報を表示部１４に表示させている状態で、据置型ＡＶ機器１２は、内蔵メモリ３２に記録された他のＡＶ情報に対して編集作業を行なうことも可能である。
【００４５】
さらに、携帯型ＡＶ機器１１が、据置型ＡＶ機器１２の内蔵メモリ３２から読み出したＡＶ情報を表示部１４に表示させている状態で、据置型ＡＶ機器１２では、内蔵メモリ３２に記録された他のＡＶ情報を読み出し、外部接続されたモニタ等に供給して表示させるようにすることもできる。
【００４６】
ここで、上記した実施の形態では、携帯型ＡＶ機器１１と据置型ＡＶ機器１２とを直接結合させるようにしたが、例えば、図５に示すように、ケーブル３８を介したネットワークによる接続を行なうことができる。また、無線によって接続することも可能である。
【００４７】
なお、この発明は上記した実施の形態に限定されるものではなく、この外その要旨を逸脱しない範囲で種々変形して実施することができる。
【００４８】
【発明の効果】
以上詳述したようにこの発明によれば、再生機能を有するＡＶ機器と記録機能を有するＡＶ機器とを接続することにより、単体では実現することができない種々の機能の実現を図り得る再生装置及び再生方法、記録装置及び記録方法、ＡＶシステムを提供することができる。
【図面の簡単な説明】
【図１】この発明の実施の形態を示すもので、ＡＶシステムの外観を説明するために示す斜視図。
【図２】同実施の形態における携帯型ＡＶ機器及び据置用ＡＶ機器の信号処理系の詳細を説明するために示すブロック構成図。
【図３】同実施の形態におけるＡＶシステムの動作の一例を説明するために示すフローチャート。
【図４】同実施の形態におけるメディア選択メニューの表示例を説明するために示す図。
【図５】同実施の形態における携帯型ＡＶ機器と据置用ＡＶ機器との接続の変形例を説明するために示す斜視図。
【符号の説明】
１１…携帯型ＡＶ機器、１２…据置用ＡＶ機器、１３…筐体、１４…表示部、１５…操作部、１６…装着部、１７…コネクタ、１８…筐体、１９…前面パネル、２０…操作部、２１…表示部、２２…装着部、２３…取付部、２４…コネクタ、２５…チューナ部、２６…内蔵メモリ、２７…リムーバブルメディア、２８…記録再生部、２９…入出力部、３０…ＣＰＵ、３１…チューナ部、３２…内蔵メモリ、３３…記録再生部、３４…タイマ、３５…入出力部、３６…ＣＰＵ、３７…リムーバブルメディア、３８…ケーブル。
【図１】
2004234794.tif 000003
【図２】
2004234794.tif 000004
【図３】
2004234794.tif 000005
【図４】
2004234794.tif 000006
【図５】
2004234794.tif 000007